(57)【要約】      （修正有）【課題】内容物を本体容器に詰め替える際に、本体容器の口部に注ぎやすく、詰め替え中の空気の置換を円滑に行える詰め替え容器及び蓋を提供する。【解決手段】注出筒を有する容器において、注出筒の外周に、切り欠き部６０ａを有する起立壁６０を設ける。切り欠き部は２つ以上設けるものとする。注出筒の側面に少なくとも２つ以上のリブ（以下、注出筒側面リブ）を設ける。容器肩部であって注出筒の根元近傍に少なくとも１つ以上のリブ（以下、肩部リブ）を設ける。肩部リブを２つ以上設け、そのうちの少なくとも１つの肩部リブの高さが他の肩部リブの高さと異なるものとする。注出筒側面リブと肩部リブが、少なくとも１つ以上延設されている容器とする。注出筒の根元を容器内側から見た場合、注出筒の根元口部近傍に仕切り片を更に設ける。以上に述べた容器において、容器の上部を蓋とするものも設ける。【選択図】図２
2020138745.tif 000002
【特許請求の範囲】
【請求項１】
注出筒を有する容器において、
注出筒の外周に、切り欠き部を有する起立壁を設けた容器。
【請求項２】
前記切り欠き部が２つ以上である請求項１記載の容器。
【請求項３】
更に、注出筒の側面に少なくとも２つ以上のリブ（以下、「注出筒側面リブ」と称す。）を設け、容器肩部であって前記注出筒の根元近傍に少なくとも１つ以上のリブ（以下、「肩部リブ」と称す。）を設けた請求項１又は請求項２いずれかに記載の容器。
【請求項４】
前記肩部リブを２つ以上設け、そのうち少なくとも１つの肩部リブの高さが他の肩部リブの高さと異なる請求項３に記載の容器。
【請求項５】
前記注出筒側面リブと前記肩部リブが、少なくとも１つ以上延設されている請求項３又は請求項４に記載の容器。
【請求項６】
前記注出筒の根元を容器内側から見た場合において、
前記注出筒の根元口部近傍に仕切り片を更に設けた請求項１〜請求項５いずれかに記載の容器。
【請求項７】
天面に注出筒を有する蓋において、
当該注出筒（以下、「蓋注出筒」と称す。）の外周に、切り欠き部を有する起立壁を設けた蓋。
【請求項８】
前記切り欠き部が２つ以上である請求項７記載の蓋。
【請求項９】
更に、前記蓋注出筒の側面に少なくとも２つ以上のリブ（以下、「蓋注出筒側面リブ」と称す。）を設け、
蓋天面あって前記蓋注出筒の根元近傍に少なくとも１つ以上のリブ（以下、「蓋天面リブ」と称す。）を設けた請求項８に記載の蓋。
【請求項１０】
前記蓋天面リブを２つ以上設け、そのうち少なくとも１つの蓋天面リブの高さが他の蓋天面リブの高さと異なる請求項９記載の蓋。
【請求項１１】
前記蓋注出筒側面リブと前記蓋天面リブが、少なくとも１つ以上延設されている請求項９又は請求項１０に記載の蓋。
【請求項１２】
前記蓋注出筒の根元を、容器内側に該当する方向から見た場合において、
前記蓋注出筒の根元口部近傍に仕切り片を更に設けた請求項８〜請求項１１いずれかに記載の蓋。
【発明の詳細な説明】
【背景技術】
【０００１】
本発明は、詰め替え容器及び蓋に関し、日常的に使用する本体容器に、粉状物、流動物等の内容物を供給する側の詰め替え容器及び蓋に関する。
【０００２】
従来より、省資源化や製品の低価格化の点から、本体容器の内容物を消費した後に、詰め替え容器に充填された内容物を本体容器に詰め替え、本体容器を再利用することが行われている。
【０００３】
詰め替え容器としては、パウチ袋、チューブ、肉薄ボトル等が使用され、消費者がその内容物を所定の本体容器へ詰め替えて使用している。
【０００４】
しかしながら、これらの詰め替え容器を用いて、内容物を詰め替えようとすると、注出口を、本体容器の口部にうまく誘導することができず、内容物を溢すことがある。仮にうまく誘導できた場合であっても、詰め替え容器がパウチ等である場合、容器自体に張りがないので、詰め替えが完了するまで、本体容器及び詰め替え容器双方を固定し続けなければならない。そこで、詰め替え容器を本体容器に螺合させたり（特許文献１、特許文献２）、詰め替え容器の注出ノズルを、本体容器の口部の内部に挿入し、詰め替え容器が自立させる試み（特許文献３）がなされている。
【０００５】
特許文献１、２のように、詰め替え容器を本体容器に螺合させた場合には、詰め替え容器と本体容器が外れることはないものの、通気口が確保されないため、自立状態で詰め替えた場合には、詰め替え途中で内容物の流入速度が遅くなり、最悪、流入が止まる場合がある。このような場合、消費者は、詰め替え容器の側面を押す等して、内容物の流入の促進を図ろうとする。そうすると、内容物に界面活性剤等が含まれている場合には、内容物が泡立ち、ますます詰め替えが困難となる。
【０００６】
特許文献３のように、詰め替え容器の注出ノズルを、本体容器の口部の内部に挿入した場合には、詰め替え容器自体の自立は容易であるが、詰め替え容器は、実質的に直立状態であるため、内容物が流動物である場合には、詰め替え途中で、内容物と空気の置換が円滑に行われず、詰め替え時の内容物の流入量が安定しない結果、本体容器が倒れてしまう危険がある。
【先行技術文献】
【特許文献】
【０００７】
【特許文献１】特開平１０−２０３５４２号
【特許文献２】特開２０１４−２１３９３０号
【特許文献３】特開２０１１−１８４０６０号
【発明の概要】
【発明が解決しようとする課題】
【０００８】
本願発明は、上記背景技術に鑑みてなされたものであって、内容物を本体容器に詰め替える際に、本体容器の口部に注ぎやすく、詰め替え中の空気の置換を円滑に行える詰め替え容器及び蓋の提供を課題とする。
【課題を解決するための手段】
【０００９】
本発明者は、上記の目的を達成するため、次の手段を用いることにより、本願発明の課題を解決した。
第１発明は、注出筒を有する容器において、注出筒の外周に、切り欠き部を有する起立壁を設けた容器である。
第２発明は、前記切り欠き部が２つ以上である第１発明記載の容器である。
第３発明は、更に、注出筒の側面に少なくとも２つ以上のリブ（以下、「注出筒側面リブ」と称す。）を設け、容器肩部であって前記注出筒の根元近傍に少なくとも１つ以上のリブ（以下、「肩部リブ」と称す。）を設けた第１発明又は第２発明いずれかに記載の容器である。
第４発明は、前記肩部リブを２つ以上設け、そのうち少なくとも１つの肩部リブの高さが他の肩部リブの高さと異なる第３発明に記載の容器である。
第５発明は、前記注出筒側面リブと前記肩部リブが、少なくとも１つ以上延設されている第３発明又は第４発明に記載の容器である。
第６発明は、注出筒の根元を容器内側から見た場合において、注出筒の根元口部近傍に仕切り片を更に設けた第１発明〜第５発明いずれかに記載の容器である。
第７発明から第１２発明は、第１発明から第６発明の容器を蓋としたものである。
【発明の効果】
【００１０】
本発明によれば、本体容器の口部に注ぎやすく、内容物と空気の置換を容易に行なうことができ、短時間で詰め替え作業を行うことが可能となる。
【図面の簡単な説明】
【００１１】
【図１】本願発明における詰め替え手順例
【図２】起立壁のバリエーション
【図３】切り欠き部６０ａのバリエーション
【図４】切り欠き部６０ａとシールｐとの位置関係例
【図５】本願発明の詰め替え容器又は蓋の上部Ｂ−Ｂ断面図及びＡ−Ａ断面図
【図６】リブ設置例１
【図７】リブ設置例２
【図８】仕切り片のバリエーション
【図９】仕切り片を設ける領域
【図１０】角度θの説明図
【図１１】注口筒の根元口部と仕切り片との距離の説明図
【図１２】肩部リブ（蓋天面リブも同じ）と仕切り片の配置例
【図１３】注出筒の封緘例
【発明を実施するための形態】
【００１２】
以下、本発明の実施例を図面に基づいて具体的に説明するが、本発明が実施例に限定されないことは言うまでもない。なお、各図中、同一符号は同一又は同等の構成要素を表している。
また、本願発明に用いられる詰め替え容器及び蓋は、同種の構造を有していれば、同様の効果が期待できるので、主に詰め替え容器を基本に説明する。
【００１３】
本願発明に用いる詰め替え容器の種類は、詰め替え時に自立することの妨げにならなければ、特に問わない。チューブ容器、肉薄ボトル容器、肉厚ボトル容器であってもよい。内容物の種類によって適宜選択すれば良い。本願発明では、詰め替え容器の側部を押す等しなくても、内容物を詰め替えることは可能ではあるが、内容物が粘性の高いものである場合には、柔軟性のある素材であると、スクイーズがしやすいので好ましい。
【００１４】
本願発明の詰め替え容器に収容する内容物は特に限定されない。化粧水、美容液、乳液、柔軟剤、液体洗剤等の流動物、顆粒、粉末、錠剤等の固体物であってもよい。目的に応じて、適宜選択できるが、本発明は内容物が流動物である場合に特に効果を発揮する。
【００１５】
本願発明の詰め替え容器の注口筒の注ぎ口は、輸送中等において内容物が流出することがなければ、任意の手段で封緘することができる。例えば、シール、螺子蓋、プルリングつき封緘部材等で封緘することが可能である。
【００１６】
図１は、本願発明の詰め替え容器を用いた詰め替え例を示す図である。日常的に使用される本体容器１自体は、任意の容器が使用できる。本願発明の詰め替え容器１０の注ぎ口の封緘部（図示せず）を開封し、詰め替え容器の注口筒先端（注ぎ口４０）を本体容器口部５に挿入し、そのまま詰め替え容器１０を倒立状態にする。注口筒側面リブ（図示せず）の存在により、本体容器口部５の内径と注口筒２０の外径との間に一定のスペースを確保した状態で、詰め替え容器１０を倒立させることができる。
【００１７】
本発明の注口筒２０の大きさ、内径は特に制限されない。内容物の剤形に合わせて適宜調整できる。本発明の注口筒２０の高さは、特に制限されない。本体容器口部５の形状、当該口部の高さとの関係から適宜設定すればよいが、本体容器口部の高さより高く設計すると、内容物が粘性物であっても糸引き現象が生じないので好ましい。
【００１８】
本願発明は、注口筒２０の外周に切り欠き部６０ａを有する起立壁６０が設けられる。詰め替えを行うには、切り欠き部６０ａに本体容器口部５を沿わせることにより、注口筒２０の先端（注ぎ口４０）を容易に本体容器口部５に挿入できる。副次的には、詰め替え容器の封緘部材を取り除く際に、指の挿入が可能になるので、封緘部材を容易に取り除くことができる。
【００１９】
起立壁６０は、注口筒２０の外周に設けられ、その口径は、内容物の詰め替え先である本体容器口部５を起立壁内に内包することができる大きさであれば制限されない。
切り欠き部６０ａの形、大きさは特に制限されない。詰め替え用とする本体容器の口部の形状、大きさによって適宜調整される。
切り欠き部６０ａは１つあれば十分であるが、複数設けても良い。また、複数設けた場合に、切り欠き部６０ａの形状をすべて同じ形にする必要性はなく、異なる形にしても良い。異なる形にしておけば、任意の本体容器の口部の形状に対応し易くなるので好ましい。
【００２０】
注口筒の先端（注ぎ口４０）の封緘をシールｐ等で行う場合は、詰め替え容器に内容物を充填して封緘する際に、当該シールｐの向きがバラつくことがあり、切り欠き部６０ａとシールｐの持ち手部の位置が略一直線上にならず、シールｐが剥がしにくくなる。このような場合に切り欠き部が複数あると、複数あるうちの切り欠き部６０ａと、シールｐの持ち手部の位置が略一直線上になる箇所が生じやすくなるので好ましい（図４参照）。
【００２１】
本願発明のリブは、注口筒２０の側面に少なくとも２箇所以上、容器肩部７０であって注口筒２０の根元近郊に少なくとも１箇所以上設けられる。注口筒２０の側面に設けたリブを便宜上「注口筒側面リブ３０ａ」、容器肩部７０であって注口筒の根元近郊に設けたリブを「肩部リブ３０ｂ」と称する。また、これらの構造を蓋に設ける場合には、蓋の注口筒２０の側面に設けたリブを便宜上「蓋注口筒側面リブ３０ｃ」、蓋天面８０であって、蓋の注口筒２０の根元近郊に設けたリブを「蓋天面リブ３０ｄ」と称することとする。
注口筒側面リブ３０ａ（蓋注口筒側面リブ３０ｃにおいても同じ）を設ければ、本体容器口部５に詰め替え容器１０を倒立させた際に、本体容器口部５の内径と注出筒２０の外径とが一定の距離を保って自立を安定化させることができる。
注口筒側面リブ３０ａ（蓋注口筒側面リブ３０ｃにおいても同じ）は、少なくとも２箇所以上設けることが好ましく、費用対効果の面から３箇所設けることが好ましい。
【００２２】
肩部リブ３０ｂ（蓋天面リブ３０ｄにおいても同じ）は、少なくとも１箇所以上設けることが好ましい。詰め替え容器１０を本体容器１に倒立させた際に通気孔的な役割を果たす。本目的を達成するためであれば、どのように設けても構わないが、平面視、注口筒周端部から外周に向かって放射状に３箇所以上設けると倒立状態が安定化しやすいので好ましい（図６参照）。
【００２３】
注口筒側面リブ３０ａと肩部リブ３０ｂ（蓋注口筒側面リブ３０ｃと蓋天面リブ３０ｄとの関係においても同じ）との位置関係は特に限定されない。延設しても良いし、分断して配置しても良い。複数のリブを設けた場合には、延設されたリブと分断して配置したリブを設けても構わない。費用面、成型のしやすさから、延設することが好ましい。
【００２４】
本発明の肩部リブ３０ｂの高さｈとは、肩部７０からの肩部リブ３０ｂの高さを指す（図５参照）。蓋天面リブ３０ｄの高さの場合は、蓋天面８０からの蓋天面リブ３０ｄの高さに相当する。以下、肩部リブ３０ｂの高さ、蓋天面リブ３０ｄの高さを単にリブの高さｈという。これらのリブの高さｈは通気が容易にできれば特に制限されないが、肩部リブ（蓋天面リブにおいても同じ）を２箇所以上設ける場合には、そのうちの少なくとも１箇所は他のリブの高さｈと異なっていることが好ましい。具体的には、2箇所であれば当該２個のリブの高さが異なっていることを意味する。例えば、３箇所であれば、ある１箇所は１ｍｍであり、残りの２箇所は１．２ｍｍ、４箇所であれば１箇所が１ｍｍ、他の３箇所が１．２ｍｍ、或いは２箇所が２ｍｍ、他の２箇所が２．５ｍｍとするようなことが考えられる。つまり、３箇所以上設けた場合には、リブの高さｈが２種類になればよい。高さの異なる程度は、詰め替え容器を本体容器口部に倒立させた際に、自立しつつも僅かに傾きが生じる程度の差であればよく、本体容器、詰め替え容器の大きさ、形状によっても異なるが、好ましくは０．５ｍｍ〜２．５ｍｍ、更に好ましくは、１ｍｍ〜２ｍｍである。この範囲であれば、詰め替え容器を本体容器口部に倒立させた際に、詰め替え容器が僅かに傾くが倒れることなく、詰め替えの際の空気交換が円滑に行われるので好ましい。
【００２５】
本発明の仕切り片５０は、詰め替え容器内部であって、注口筒根元口部２１近郊に設けられる。内容物を詰め替える際に、円滑に内容物を本体容器１に充填する目的で設けられる。        
原理は定かではないが、仕切り片５０の存在により、内容物を本体容器に詰め替える際に、内容物が略渦状の流れをつくりやすく、これによって詰め替えが容易になるものと推測される。もっとも、内容物が略渦状になって充填されること自体は必須ではない。
仕切り片５０の大きさ、形、強度、配置場所は、内容物の種類、粘度等によって適宜変更できる。例えば、略板状（縦８ｍｍ×横１５ｍｍ）にした仕切り片５０を、直線状、円弧状に設けることができる。仕切り片５０の強度は、内容物の流動によって変形したり、搖動したりしない程度であればよい。
【００２６】
注口筒根元口部２１との関係においては、注口筒根元口部２１の内径によっても異なるが、注口筒根元口部２１の外周から、一定の距離をおいて設けることが好ましい。
具体的には、注口筒根元口部２１の中心と仕切り片５０の両端を線で結び、注口筒根元口部２１の外周から仕切り片５０までの距離（図１１；ｄ１、ｄ２参照）が、少なくとも０．１ｍｍ、好ましくは、０．２ｍｍ以上離して設けることが好ましい。ｄ１とｄ２は、同じであっても良いし（ｄ１＝ｄ２）、異なっていてもよい（ｄ１＞ｄ２、ｄ１＜ｄ２）が、図８（ｂ）のように異なって設ける方が、内容物を本体容器に詰め替える際に、内容物が略渦状の流れをつくりやすいので好ましい。この場合、短い方の距離が少なくとも０．１ｍｍ以上あればよい（例えば、ｄ１＞ｄ２≧０．１ｍｍ）。
【００２７】
もっとも、仕切り片５０は、注口筒根元口部２１の外周から離れすぎて設けるとその効果が期待できなくなる場合があることから、好ましくは、容器肩部内径の２／３を内径とする同心円の領域内、更に好ましくは容器肩部内径の１／３を内径とする同心円の領域内に設けることが好ましい（図９参照）。言い換えると、中心を同じくする２／３の相似形の領域内、好ましくは１／３の相似形の領域内に設けることが好ましい。
【００２８】
また、仕切り片５０は、直線状に設けるよりは、円弧状に設けることが好ましい。例えば、仕切り片５０の左端ａと、注口筒根元口部２１の中心と、仕切り片５０の右端ｂを結んで作られる角度θ（図１０参照）は、２５°以上１８０°未満が好ましく、３０°以上１２０°以下が更に好ましい。この範囲であると、内容物が略渦状の流れをつくりやすいので好ましい。
前述のｄ１、ｄ２をｄ１≠ｄ２としたい場合は、例えば、一旦ｄ１＝ｄ２である前提で前述の角度θの条件を満たす仕切り片５０を設計した後、仕切り片５０の一端が少なくとも０．１ｍｍ、好ましくは、０．２ｍｍ以上離して設け、容器肩部内径の２／３を内径とする同心円領域内、更に好ましくは容器肩部内径の１／３を内径とする同心円領域内に仕切り片５０全体が収まるように設ければ良い。
【００２９】
本願発明における各パーツは、個々に制作後、接着手段で接着しても良いし、一体成型としても良い。
【００３０】
本願発明における詰め替え容器に使用する蓋１００は、基本的には上述の詰め替え容器１０の上部の構造を同様に兼ね備えている。そのため、本願発明を蓋１００として用いる場合には、注口筒２０つき蓋として上述の構造を備えればよい（図２参照）。以下、詰め替え容器１０をベースに実施例を挙げるが、蓋１００として用いる場合については個別に詳述しないが、同様に考えればよいことは言うまでもない。
【実施例】
【００３１】
図２（ａ）、（ｂ）は、本願発明の詰め替え容器をチューブ容器とした場合である。（ａ）は切り欠き部６０ａを３個所設けた例、（ｂ）は切り欠き部６０ａを１箇所設けた例である。これをボトル容器として成型することも可能である。
図２（ｃ）は、詰め替え容器の上部を蓋とした場合の例である。蓋とボトル容器を別々に成型し、螺合又は嵌合させて使用することが可能である。
【００３２】
図３は、起立壁６０に設けられる切り欠き部６０ａの形状のバリエーションである。切り欠き部６０ａは、本体容器の口部５の形状によって適宜調整される。複数設ける場合は、同じ形状としても良いし、異なる形状にしても良い。
【００３３】
図５は、本発明の詰め替え容器又は蓋の上部のＢ−Ｂ断面図と、Ａ−Ａ断面図（部分）である。注口筒側面リブ３０ａと肩部リブ３０ｂを延設させ、注口筒２０根元近傍に仕切り片５０を設けた例である。Ａ−Ａ断面図中「ｈ」が、肩部リブ又は蓋天面リブの高さを示す。具体的には、容器であれば、容器肩部から肩部リブ上端までの距離を指し、蓋である場合には、蓋天面から蓋部リブ上端までの距離を指す。
【００３４】
図６は、注出筒側面リブ３０ａと肩部リブ３０ｂの配置例である。便宜上起立壁６０を除いた状態で示している。本例は、注出筒側面リブ３０ａと肩部リブ３０ｂを延設した例である。注口筒２０を中心に略放射状にリブを設けている。
図７は、注出筒側面リブ３０ａと肩部リブ３０ｂの別の配置例である。便宜上起立壁６０を除いた状態で示している。（ａ）は、図６同様、注出筒側面リブ３０ａと肩部リブ３０ｂをそれぞれ３箇所設けているが、延設ではなく、注出筒側面リブ３０ａと肩部リブ３０ｂを独立状態で設けた例である。（ｂ）は、注口筒２０側面に、注出筒側面リブ３０ａを２箇所設け、肩部リブ３０ｂを１箇所設けた例である。
一体成型のしやすさ、費用対効果を考慮すると、図６のように放射線状に延設することが好ましい。
【００３５】
図８は、詰め替え容器を容器内側から注口筒根元口部２１を見た図である（以下、詰め替え容器を容器内側から見た注口筒根元口部２１を示すにあたっては、混乱を避けるため、注口筒２０がテーパ状であっても、注口筒根元口部２１のみを図面に表すものとする）。仕切り片５０は、注口筒根元口部２１近郊に設けられる。
（ａ）は、略板状の仕切り片５０を、注口筒根元口部２１外周からほぼ一定の距離（ｄ１≒ｄ２）を保って円弧状に設けた例である。
（ｂ）は、略板状の仕切り片５０を、（ａ）同様に円弧状に設けた例であるが、注口筒根元口部２１の外周との距離に関し、仕切り片５０の一端からの距離と他端からの距離が異なるように設けた例である（ｄ１＞ｄ２又はｄ１＜ｄ２）。
（ｃ）は、略板状の仕切り片５０を直線状に設けた例である（ｄ１≒ｄ２）。
【００３６】
図１２は、肩部リブ３０ｂ、注口筒根元口部２１、仕切り片５０との位置関係例である。肩部リブ３０ｂ、注口筒根元口部２１、仕切り片５０の位置関係は任意であるが、図１２のように設けると、詰め替え時間が短くなる傾向にあるので好ましい。
【００３７】
図１３は、注ぎ口４０の封緘例である。便宜上起立壁６０を除いた状態で示している。（ａ）はシールで封緘した例、（ｂ）は螺子蓋を設けた例、（ｃ）は、脆弱部を設けて封緘しプルリング設けた例である。封緘手段は、内容物に応じて適宜選択できる。
【産業上の利用可能性】
【００３８】
本発明によれば、本体容器の口部に注ぎやすく、内容物と空気の置換を容易に行なうことができ、短時間で詰め替え作業を行うことができるので、粉、顆粒等の固形物は勿論、液状物、粘性物の詰め替え容器として用いることができる。
【符号の説明】
【００３９】
１      本体容器
５      本体容器口部
１０    詰め替え容器
１００  蓋
２０    注口筒
２１    注出筒根元口部
３０ａ  注口筒側面リブ
３０ｂ  肩部リブ
３０ｃ  蓋注口筒側面リブ
３０ｄ  蓋天面リブ
４０    注ぎ口
５０    仕切り片
ｈ      リブの高さ
６０    起立壁
６０ａ  切り欠き
７０    肩部
８０    蓋部天面
ｐ      シール
【図１】
2020138745.tif 000003
【図２】
2020138745.tif 000004
【図３】
2020138745.tif 000005
【図４】
2020138745.tif 000006
【図５】
2020138745.tif 000007
【図６】
2020138745.tif 000008
【図７】
2020138745.tif 000009
【図８】
2020138745.tif 000010
【図９】
2020138745.tif 000011
【図１０】
2020138745.tif 000012
【図１１】
2020138745.tif 000013
【図１２】
2020138745.tif 000014
【図１３】
2020138745.tif 000015
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
注出筒を有する詰め替え容器において、
注出筒の外周に、円弧状の切り欠き部を少なくとも１つ有する起立壁を設けた詰め替え容器。
【請求項２】
前記円弧状の切り欠き部が２つ以上であって、当該円弧の形状が２種以上である請求項１記載の容器。
【請求項３】
更に、注出筒の側面に少なくとも２つ以上のリブ（以下、「注出筒側面リブ」と称す。）を設け、容器肩部であって前記注出筒の根元近傍に少なくとも１つ以上のリブ（以下、「肩部リブ」と称す。）を設けた請求項１又は請求項２いずれかに記載の容器。
【請求項４】
前記肩部リブを２つ以上設け、そのうち少なくとも１つの肩部リブの高さが他の肩部リブの高さと異なる請求項３に記載の容器。
【請求項５】
前記注出筒側面リブと前記肩部リブが、少なくとも１つ以上延設されている請求項３又は請求項４に記載の容器。
【請求項６】
前記注出筒の根元を容器内側から見た場合において、
前記注出筒の根元口部近傍に仕切り片を更に設けた請求項１〜請求項５いずれかに記載の容器。
【請求項７】
天面に注出筒を有する詰め替え容器に使用する蓋において、
当該注出筒（以下、「蓋注出筒」と称す。）の外周に、円弧状の切り欠き部を少なくとも１つ有する起立壁を設けた詰め替え容器に使用する蓋。
【請求項８】
前記円弧状の切り欠き部が２つ以上であって、当該円弧の形状が２種以上である請求項７記載の蓋。
【請求項９】
更に、前記蓋注出筒の側面に少なくとも２つ以上のリブ（以下、「蓋注出筒側面リブ」と称す。）を設け、
蓋天面あって前記蓋注出筒の根元近傍に少なくとも１つ以上のリブ（以下、「蓋天面リブ」と称す。）を設けた請求項８に記載の蓋。
【請求項１０】
前記蓋天面リブを２つ以上設け、そのうち少なくとも１つの蓋天面リブの高さが他の蓋天面リブの高さと異なる請求項９記載の蓋。
【請求項１１】
前記蓋注出筒側面リブと前記蓋天面リブが、少なくとも１つ以上延設されている請求項９又は請求項１０に記載の蓋。
【請求項１２】
前記蓋注出筒の根元を、容器内側に該当する方向から見た場合において、
前記蓋注出筒の根元口部近傍に仕切り片を更に設けた請求項８〜請求項１１いずれかに記載の蓋。